(57)【要約】      （修正有）【課題】測定装置本体に蓋体が装着された状態で、紐が邪魔になることを防止することができる測定装置および測定装置セットを提供する。【解決手段】測定装置１は、測定装置本体１０と、測定装置本体１０に着脱自在に装着される蓋体６と、測定装置本体１０と蓋体６とを連結する紐７とを備えている。測定装置本体１０のケーシング２は、そのケーシング２に蓋体６が装着された状態（以下、蓋体装着状態とも言う）で、紐７が挿入される溝２２を有している。また、蓋体６は、蓋体装着状態で、紐７が挿入される溝６６を有している。この溝６６および前記溝２２は、蓋体装着状態で、溝６６と溝２２とが連続するように形成されている。【選択図】図２
2013195223.tif 000002
【特許請求の範囲】
【請求項１】
生体情報を測定する測定部を端部に有する測定装置本体と、
前記測定部を覆うように、前記測定装置本体に着脱自在に装着される蓋体と、
前記測定装置本体と前記蓋体とを連結する紐とを備え、
前記測定装置本体は、該測定装置本体に前記蓋体が装着された状態で、前記紐が挿入される第１の溝を有し、
前記蓋体は、前記測定装置本体に該蓋体が装着された状態で、前記紐が挿入される第２の溝を有することを特徴とする測定装置。
【請求項２】
前記第１の溝および前記第２の溝は、前記測定装置本体に前記蓋体が装着された状態で、前記第１の溝と前記第２の溝とが連続するように形成されている請求項１に記載の測定装置。
【請求項３】
前記紐は、前記蓋体の前記測定装置本体と反対側の中心部に固定されている請求項１または２に記載の測定装置。
【請求項４】
前記第２の溝は、前記蓋体の前記測定装置本体と反対側の中心部から両側に形成されている請求項３に記載の測定装置。
【請求項５】
前記蓋体は、底壁と、該底壁から立設した側壁とを有し、前記底壁の内面が前記測定部に対向するように、前記測定装置本体に装着され、
前記第２の溝は、前記蓋体の前記底壁の外面と、前記側壁の外面とに連続して設けられている請求項１ないし４のいずれかに記載の測定装置。
【請求項６】
前記第２の溝の前記底壁の外面に設けられた部分は、前記底壁の外面の中心部を通り、該外面を横切っている請求項５に記載の測定装置。
【請求項７】
前記蓋体の外面は、前記第２の溝に向かって傾斜する傾斜面を有する請求項１ないし６のいずれかに記載の測定装置。
【請求項８】
前記紐は、前記測定装置本体の前記第１の溝の端部に固定されている請求項１ないし７のいずれかに記載の測定装置。
【請求項９】
前記測定装置本体は、所定の情報を表示する表示部を有し、
第１の溝は、前記測定装置本体の前記表示部が設けられている面とは異なる面に設けられ、
前記測定装置本体に前記蓋体が装着され、前記紐が前記第１の溝に挿入された状態で、前記紐は、前記表示部に重ならないようになされている請求項１ないし８のいずれかに記載の測定装置。
【請求項１０】
前記測定部は、試験具が着脱自在に装着される試験具装着部を有し、該試験具装着部に前記試験具を装着して、前記生体情報を測定するよう構成されており、
前記蓋体は、前記試験具装着部を覆うように前記成分測定装置本体に装着される請求項１ないし９のいずれかに記載の測定装置。
【請求項１１】
請求項１ないし１０のいずれかに記載の測定装置と、
前記測定装置により測定を行う際に用いられる少なくとも１つの付属品と、
前記測定装置および前記付属品を収納する収納容器とを備えることを特徴とする測定装置セット。
【発明の詳細な説明】
【技術分野】
【０００１】
本発明は、測定装置および測定装置セットに関するものである。
【背景技術】
【０００２】
血糖値の測定を行う血糖測定装置（血中成分測定装置）が知られている。この血糖測定装置は、血中のブドウ糖量に応じて呈色する試験紙等の試験部位の呈色の度合いを光学的に測定（測色）して血糖値を定量化するものである。（例えば、特許文献１参照）。
【０００３】
このような従来の血糖測定装置では、試験紙の測色は、発光素子および受光素子を備える測光部（測定部）において、試験紙に光を照射しその反射光の強度を測定することにより行われている。
【０００４】
また、測光部には、前記試験紙を有する試験具を装着する装着部が形成されており、血糖測定装置の本体には、その装着部を保護するため、該装着部を覆う蓋体が着脱自在に設けられているものがある。その場合、血糖測定装置は、蓋体の落下や紛失等を防止するために、前記本体と前記蓋体とを連結する紐を有する。
【０００５】
しかしながら、このような血糖測定装置では、その本体に蓋体が装着された状態で、紐が邪魔になるという欠点がある。特に、血糖測定装置およびその付属品を収納容器に収納してなる血糖測定装置セットにおいて、収納容器を小さくすると、収納容器内で紐が邪魔になり、小型化に不利である。
【先行技術文献】
【特許文献】
【０００６】
【特許文献１】特開２０１０−１２２１４７号公報
【発明の概要】
【発明が解決しようとする課題】
【０００７】
本発明の目的は、測定装置本体に蓋体が装着された状態で、紐が邪魔になることを防止することができる測定装置および測定装置セットを提供することにある。
【課題を解決するための手段】
【０００８】
このような目的は、下記（１）〜（１１）の本発明により達成される。
（１）  生体情報を測定する測定部を端部に有する測定装置本体と、
前記測定部を覆うように、前記測定装置本体に着脱自在に装着される蓋体と、
前記測定装置本体と前記蓋体とを連結する紐とを備え、
前記測定装置本体は、該測定装置本体に前記蓋体が装着された状態で、前記紐が挿入される第１の溝を有し、
前記蓋体は、前記測定装置本体に該蓋体が装着された状態で、前記紐が挿入される第２の溝を有することを特徴とする測定装置。
【０００９】
（２）  前記第１の溝および前記第２の溝は、前記測定装置本体に前記蓋体が装着された状態で、前記第１の溝と前記第２の溝とが連続するように形成されている上記（１）に記載の測定装置。
【００１０】
（３）  前記紐は、前記蓋体の前記測定装置本体と反対側の中心部に固定されている上記（１）または（２）に記載の測定装置。
【００１１】
（４）  前記第２の溝は、前記蓋体の前記測定装置本体と反対側の中心部から両側に形成されている上記（３）に記載の測定装置。
【００１２】
（５）  前記蓋体は、底壁と、該底壁から立設した側壁とを有し、前記底壁の内面が前記測定部に対向するように、前記測定装置本体に装着され、
前記第２の溝は、前記蓋体の前記底壁の外面と、前記側壁の外面とに連続して設けられている上記（１）ないし（４）のいずれかに記載の測定装置。
【００１３】
（６）  前記第２の溝の前記底壁の外面に設けられた部分は、前記底壁の外面の中心部を通り、該外面を横切っている上記（５）に記載の測定装置。
【００１４】
（７）  前記蓋体の外面は、前記第２の溝に向かって傾斜する傾斜面を有する上記（１）ないし（６）のいずれかに記載の測定装置。
【００１５】
（８）  前記紐は、前記測定装置本体の前記第１の溝の端部に固定されている上記（１）ないし（７）のいずれかに記載の測定装置。
【００１６】
（９）  前記測定装置本体は、所定の情報を表示する表示部を有し、
第１の溝は、前記測定装置本体の前記表示部が設けられている面とは異なる面に設けられ、
前記測定装置本体に前記蓋体が装着され、前記紐が前記第１の溝に挿入された状態で、前記紐は、前記表示部に重ならないようになされている上記（１）ないし（８）のいずれかに記載の測定装置。
【００１７】
（１０）  前記測定部は、試験具が着脱自在に装着される試験具装着部を有し、該試験具装着部に前記試験具を装着して、前記生体情報を測定するよう構成されており、
前記蓋体は、前記試験具装着部を覆うように前記成分測定装置本体に装着される上記（１）ないし（９）のいずれかに記載の測定装置。
【００１８】
（１１）  上記（１）ないし（１０）のいずれかに記載の測定装置と、
前記測定装置により測定を行う際に用いられる少なくとも１つの付属品と、
前記測定装置および前記付属品を収納する収納容器とを備えることを特徴とする測定装置セット。
【発明の効果】
【００１９】
本発明によれば、測定装置本体に蓋体が装着された状態で、紐が第１の溝に挿入されるので、これにより、紐が邪魔になることを防止することができる。
【００２０】
また、収納容器内に、測定装置と、その測定装置により測定を行う際に用いられる付属品とを収納してなる測定装置セットにおいては、収納容器内で紐が邪魔にならないので、その小型化に有利である。
【図面の簡単な説明】
【００２１】
【図１】本発明の測定装置セットを血液中の血糖値を測定する血糖測定装置セットに適用した場合の第１実施形態を示す斜視図である。
【図２】図１に示す測定装置セットの測定装置および穿刺装置を示す斜視図である。
【図３】図１に示す測定装置セットの測定装置を示す図である。
【図４】図１に示す測定装置セットの測定装置の紐の固定部付近を示す斜視図である。
【図５】図１に示す測定装置の内部構成を示すブロック図である。
【図６】図１に示す測定装置の測光部の構成を示す縦断面図である。
【図７】試験具の構成を示す縦断面図である。
【図８】図７に示すチップを測定装置に装着した状態を示す縦断面図である。
【図９】本発明の測定装置セットを血液中の血糖値を測定する血糖測定装置セットに適用した場合の第２実施形態における測定装置を示す図である。
【図１０】本発明の測定装置セットを血液中の血糖値を測定する血糖測定装置セットに適用した場合の第３実施形態における測定装置を示す図である。
【発明を実施するための形態】
【００２２】
以下、本発明の測定装置および測定装置セットを添付図面に示す好適な実施形態に基づいて詳細に説明する。
【００２３】
なお、本発明の測定装置および測定装置セットは、バイタルサイン、すなわち、生体情報を測定するものであるが、以下の実施形態では、代表的に、本発明の測定装置を、生体情報として、検体中の所定成分の量を測定する装置に適用した場合、具体的には、血液中のブドウ糖の量（血糖値）を測定する血糖測定装置に適用した場合を説明する。
【００２４】
＜第１実施形態＞
図１は、本発明の測定装置セットを血液中の血糖値を測定する血糖測定装置セットに適用した場合の第１実施形態を示す斜視図、図２は、図１に示す測定装置セットの測定装置および穿刺装置を示す斜視図である。なお、図２には、穿刺装置に、穿刺針チップのチップ本体が装着された状態が示されている。図３は、図１に示す測定装置セットの測定装置を示す図であって、図３（ａ）は、平面図、図３（ｂ）は、一方の側面図、図３（ｃ）は、他方の側面図、図３（ｄ）は、正面図、図３（ｅ）は、背面図である。図４は、図１に示す測定装置セットの測定装置の紐の固定部付近を示す斜視図、図５は、図１に示す測定装置の内部構成を示すブロック図、図６は、図１に示す測定装置の測光部の構成を示す縦断面図、図７は、試験具の構成を示す縦断面図、図８は、図７に示すチップを成分測定装置に装着した状態を示す縦断面図である。
【００２５】
なお、以下では、図３（ｃ）中の左側を「先端」、右側を「基端」、上側を「上」、下側を「下」とし、図７および図８中の左側を「基端」、右側を「先端」として説明を行う。
【００２６】
図１に示すように、測定装置セット１００は、測定装置１と、付属品であるチップ５、穿刺装置８および穿刺針チップ９と、これら測定装置１、チップ５、穿刺装置８および穿刺針チップ９を収納する収納容器３とを有している。収納容器３は、上部に開口を有し、有底の箱状をなす容器本体３１と、その容器本体３１を開閉する蓋体３２とを備えており、前記測定装置１、チップ５、穿刺装置８および穿刺針チップ９は、容器本体３１内に収納されている。この場合、チップ５は、容器５０内に密封収納された状態で容器本体３１内に収納されている。
【００２７】
なお、収納容器３内に収納されるチップ５の数は、図示の構成では、２つであるが、これに限らず、例えば、１つでもよく、また、３つ以上でもよい。また、収納容器３内に収納される穿刺針チップ９の数は、図示の構成では、１つであるが、これに限らず、例えば、２つ以上でもよい。
【００２８】
まず、測定装置１に着脱自在に装着して使用されるチップ５について説明する。
図７に示す試験具であるチップ（ｔｉｐ）５は、検体である血液を採取する採取具としての機能も有しており、有底筒状のチップ本体（試験具本体）５１と、このチップ本体５１の底部５１１から突出した細管５２と、チップ本体５１内に設置された試験部位である試験紙５３とで構成されている。
【００２９】
チップ本体５１は、試験紙５３を保持するとともに、チップ５を、後述する測定装置１が備える測光部（測定部）４の先端部（試験具装着部）へ装着する装着部を構成するものである。
【００３０】
チップ本体５１は、底部５１１と、胴部５１３と、胴部５１３の基端外周に形成されたフランジ５１４とで構成されている。また、底部５１１の内側には、試験紙５３を固定する台座部５１２が形成されている。試験紙５３は、その外周部（固定部５３３）において、例えば融着または接着剤による接着等の方法により台座部５１２に固定される。
【００３１】
胴部５１３は、チップ５を測定装置１の測光部４の先端部へ装着する装着部を構成する。すなわち、図８示すように、チップ本体５１の胴部５１３の内側に、測光部４の先端部（押え部材４７）を嵌合して、チップ５を測定装置１の測光部４へ装着する。以下、図８に示す状態を、「チップ装着状態」と言う。
【００３２】
細管５２は、血液（検体）を採取するためのものであり、その内部には、検体導入流路５２０が形成されている。この検体導入流路５２０は、試験紙５３に対しほぼ直交する方向に延在しており、その先端には検体流入口５２３、その基端には検体流出口５２７がそれぞれ形成されている。
【００３３】
チップ本体５１の底部５１１内面の台座部５１２より外周側の位置には、チップ装着状態で、試験紙５３と測光部４の押え部材４７との非接触を確保する離間手段として、スペーサー５６が形成されている。
【００３４】
このスペーサー５６は、底部５１１の内面に周方向に沿って配置された複数の凸部で構成されており、図８に示すように、チップ装着状態で、測光部４の押え部材４７の先端に当接して、押え部材４７の先端部が試験紙５３に接触することを阻止する。
【００３５】
また、スペーサー５６は、チップ装着状態で、押え部材４７の先端に当接して、試験紙５３と測光部４の発光素子４１および受光素子４２との離間距離や、試験紙５３と後述する光透過性部材４５との離間距離（平均距離Ｌ）を一定に保つ機能も有している。
【００３６】
なお、チップ５は、有底筒状でフランジ５１４や細管５２を有するものに限らず、例えば、小片状、平板状、シート状、スティック状のものであってもよい。
【００３７】
以上のようなチップ本体５１および細管５２は、所定の剛性を有する剛性材料で構成されている。このような剛性材料としては、アクリル系樹脂等の親水性の高い材料または親水化処理された各種樹脂材料が好ましい。
【００３８】
試験紙５３は、血液を吸収可能な担体に、発色試薬を担持させたものである。この担体は、好ましくは多孔性膜（シート状多孔質基材）で構成されている。この場合、多孔性膜は、血液中の赤血球を濾過できる程度の孔径を有するものが好ましい。
【００３９】
担体に含浸する試薬としては、血糖値測定用の場合、グルコースオキシダーゼ（ＧＯＤ）と、ペルオキシダーゼ（ＰＯＤ）と、例えば４−アミノアンチピリン、Ｎ−エチルＮ−（２−ヒドロキシ−３−スルホプロピル）−ｍ−トルイジンのような発色剤（発色試薬）との組み合せが挙げられ、その他、測定成分に応じて、適宜選択される。
【００４０】
また、試験紙５３は、固定部５３３の内周側に設けられ、先端方向に突出している環状の凸部５３２を有している。この環状の凸部５３２は、試験紙５３上での血液の展開を規制する機能を有する。これにより、余分な血液が環状の凸部５３２より外周側へ流出することが阻止され、血液付着による汚染が防止される。
【００４１】
血液の採取は、まず、指先等を針やメス等で穿刺し、この穿刺部から皮膚上に少量（例えば１〜６μＬ程度）の血液を流出させる。
【００４２】
一方、測定装置１が備える測光部４の先端部（試験具装着部）にチップ５を装着し、細管５２の検体流入側端部５２１の端面を皮膚に当接させる。指先の血液は、溝５２２内を経て検体流入口５２３へ至り、毛細管現象により吸引されて検体導入流路５２０内を基端方向へ流れ、検体流出口５２７へ到達する。
【００４３】
試験紙５３上への血液の展開（付着）が完了すると、血液中のブドウ糖（目的成分）と試験紙５３に担持された試薬とが反応し、ブドウ糖の量に応じて呈色する。測定装置１は、この呈色した試験紙５３を測色して、呈色の強度を測定することにより、血液中の目的成分量である血糖値を算出する。
【００４４】
なお、試験部位として試験紙を用いて説明したが、本発明では、これに限定されず、目的成分により、反射光の変化するものであれば用いることができる。
【００４５】
次に、測定装置１について説明する。
図２および図３に示すように、測定装置１は、測定装置本体１０と、測定装置本体１０に着脱自在に装着される蓋体６と、測定装置本体１０と蓋体６とを連結する紐７とを備えている。
【００４６】
測定装置本体１０は、ケーシング２を有し、このケーシング２内には、図示しないプリント基板が配置されている。また、ケーシング２の先端部には、血液（検体）中のブドウ糖（所定成分）と試験紙５３の試薬との反応によって生じた変化を測定する測定部として、試験紙５３を測色する測光部（測定部）４が設けられている。また、ケーシング２は、その上壁２７に窓部を有しており、その窓部には、各種の情報を表示する表示部として液晶（ＬＣＤ）表示装置１０４が設置されている。なお、ケーシング２、蓋体６および紐７については、後で詳述する。
【００４７】
プリント基板上には、例えばマイクロコンピュータで構成される制御手段１０５（図５参照）が搭載されており、測定装置１の諸動作（各部の作動）を制御する。この制御手段１０５には、測光部４からの信号（測定結果）に基づいて目的とする血中のブドウ糖の量（血糖値）を算出する演算部が内蔵されている。この演算部は、必要に応じて、例えばヘマトクリット値補正計算、温度補正計算等も行う。
【００４８】
図６に示すように、測光部４は、発光素子（例えば発光ダイオード）４１と、受光素子（例えばフォトダイオード）４２とを有しており、これらは、ホルダー４３に収納、保持されている。発光素子４１は制御手段１０５と電気的に接続され、受光素子４２は、図示しない増幅器およびＡ／Ｄ変換器４９を介して制御手段１０５と電気的に接続されている。
【００４９】
発光素子４１は、制御手段１０５からの信号により作動し、所定の時間間隔で所定波長のパルス光を発する。
【００５０】
測光部４の先端部には、前述したような試験紙５３を内蔵する試験具であるチップ５が着脱自在に装着される。具体的には、ホルダー４３の先端部には、このホルダー４３に対して光透過性部材４５を固定する押え部材４７が設けられており、チップ５を測光部４の先端部に装着した状態（チップ装着状態）で、押え部材４７にチップ本体５１の基端部が嵌合し、チップ５が押え部材４７に固定される（図８参照）。すなわち、本実施形態では、押え部材４７が試験具装着部を構成している。
【００５１】
このチップ装着状態で、押え部材４７の先端（開口部４７２の先端）は、チップ５が備える試験紙５３に対面する。そして、この状態で、発光素子４１から発せられた光は試験紙５３に照射され、試験紙５３で反射された反射光は、受光素子４２に受光され、光電変換される。受光素子４２からは、その受光光量（反射光の光量）に応じたアナログ信号が出力され、所望に増幅された後、Ａ／Ｄ変換器４９にてデジタル信号に変換され、制御手段１０５に入力される。
【００５２】
そして、制御手段１０５では、所定の検量線を用いて、入力された信号に基づき、例えば、所定の演算処理を行い、また、必要に応じ補正計算等を行って、血糖値を求める。この血糖値は、液晶表示装置１０４により表示される。
【００５３】
また、図５に示すように、測定装置１は、電源部１０１、電源電圧検出部１０２、スイッチ回路１０３、制御発振部１０６、時計発振部１０７、データ記憶部１０８、ブザー出力部１０９、外部出力部１１０および温度測定部１１１を有している。
【００５４】
電源部１０１には、電池が装填される。電源電圧検出部１０２は、この電池の電圧を検出し、検出された電圧値を制御手段１０５へ出力する。これにより、電池の残量をチェックすることができる。
【００５５】
スイッチ回路１０３は、以下のような種々のスイッチの入力を検出し、その信号を制御手段１０５へ入力する。スイッチの種類としては、例えば、電源スイッチ、記憶データ読出スイッチ、時刻設定・変更スイッチ、リセットスイッチ、ブザー作動／不作動選択スイッチ、５０Ｈｚ／６０Ｈｚ商用電源周波数選択スイッチ等が挙げられる。
【００５６】
電源スイッチは、図示しない操作ボタンの押圧により、オン／オフすることができる。また、その他のスイッチは、前記操作ボタン、図示しない複数の操作部材等のうちのいずれか１つまたは２つ以上を組み合わせて操作することにより作動させることができる。
【００５７】
制御発振部１０６は、タイマーを構成するもので、一定時間間隔のクロックパルスを発振し、制御手段１０５のマイクロコンピュータの動作用基準信号の供給を行う。
【００５８】
時計発振部１０７は、絶対時間（日時）を特定する時計を構成するもので、一定時間間隔のクロックパルスを発振し、制御手段１０５が内蔵する時計制御回路の動作用基準信号の供給を行う。
【００５９】
データ記憶部１０８は、第１メモリー（ＲＡＭ）、第２メモリー（ＲＯＭ）および書き換え可能な不揮発性メモリーである第３メモリー（不揮発性ＲＡＭ）を備えている。測光部４より入力された測光値（測光データ）、すなわち、測定値（測定データ）は、所定のフォーマットに従って第１メモリーに記憶される。
【００６０】
また、第２メモリーには、測光値または測光値から求められた吸光度と、血糖値（目的とする血中成分量）との関係、すなわち、測光値または吸光度に基づいて血糖値を求めるために用いる検量線が記憶されている。検量線としては、例えば、演算式、テーブル等が挙げられる。
【００６１】
また、第３メモリーには、個々の装置ごとに固有の校正値が予め記憶されている。ここで言う固有の校正値には、例えば、反射光量の規定値、吸光度計算の補正係数等がある。
【００６２】
ブザー出力部１０９は、制御手段１０５からの信号に基づいて、ブザーを作動させ、音を発する。
【００６３】
外部出力部１１０は、血糖値等のデータを、例えばパソコンのような外部装置へ出力するためのものである。この場合、外部出力部１１０は、例えばＲＳ２３２Ｃのような通信ドライバーを内蔵している。また、赤外線通信を行う場合には、外部出力部１１０は、赤外線発光素子およびその駆動回路を内蔵している。
【００６４】
温度測定部１１１は、環境温度を測定し得る温度センサー（サーミスタ）を備えている。温度測定部１１１では、随時温度測定がなされ、その温度情報は、データ記憶部１０８の第１メモリーに記憶される。また、第１メモリーから読み出された温度情報は、制御手段１０５へ入力され、血糖値の温度補正計算に利用される。
【００６５】
次に、図６および図８に基づいて、測光部４について説明する。
前述したように、測光部４は、発光素子４１および受光素子４２が固定されたホルダー（測光ブロック）４３と、光透過性部材４５と、ホルダー４３に対して光透過性部材４５を固定する押え部材４７とを備えており、測定装置本体１０の先端部に設けられている。このホルダー４３には、発光素子４１が発する光を通過させ、試験紙５３に案内する第１の通路４３１と、この光が試験紙５３で反射された反射光を通過させ、受光素子４２に案内する第２の通路４３２とが形成されている。
【００６６】
第１の通路４３１と第２の通路４３２とは、ホルダー４３の先端部で１つとなった（合流した）後、ホルダー４３の先端において開放している。これにより、ホルダー４３の先端には、第１の通路４３１および第２の通路４３２が開放する開口部４３３が形成されている。
【００６７】
ホルダー４３の先端部、すなわち、チップ装着状態で試験紙５３に対向する部分には、第１の通路４３１がほぼ中央に位置するように、凹部４３４が形成されている。
【００６８】
また、凹部４３４の外周には、この凹部４３４に連通し、凹部４３４よりも深く形成された環状凹部４３５が形成されている。
【００６９】
この環状凹部４３５内にはＯリング４６が収納され、かつ、凹部４３４内には光透過性部材４５が収納されており、押え部材４７により、ホルダー４３に対して光透過性部材４５が固定されている。
【００７０】
押え部材４７は、略筒状をなしており、その基端側には、光透過性部材４５に当接するリング状の当接部４７１と、ホルダー４３の先端部に嵌合するリング状の嵌合部４７３とが、それぞれ、突出形成されている。嵌合部４７３は、当接部４７１の外周側に位置している。
【００７１】
嵌合部４７３は、押え部材４７をホルダー４３の先端部へ装着する装着部を構成する。すなわち、図８に示すように、押え部材４７の嵌合部４７３の内側に、ホルダー４３の先端部を挿入して、押え部材４７をホルダー４３へ装着する（嵌合させる）。
【００７２】
環状凹部４３５内にＯリング４６を、凹部４３４内に光透過性部材４５をそれぞれ収納した状態で、押え部材４７をホルダー４３の先端部に装着すると、当接部４７１が光透過性部材４５に当接し、これをホルダー４３に向かって押圧する。また、Ｏリング４６は、その弾性力により光透過性部材４５を当接部４７１に向かって押圧する。これにより、光透過性部材４５は、ホルダー４３に対して固定される。このように、ホルダー４３の第１の通路４３１および第２の通路４３２（以下、単に「通路」と言う。）は、Ｏリング４６を介して光透過性部材４５により密閉されている。
【００７３】
また、ホルダー４３の先端部外周には、複数のリング状の凹部で構成される接着剤溜り４３６が設けられている。
【００７４】
このような構成により、チップ装着状態で、光透過性部材４５は、試験紙５３とホルダー４３（測光部４）の通路とを隔離する。
【００７５】
この測定装置１では、ホルダー４３の通路が密閉されているので、通路内への埃、水、血液（検体）等の侵入が確実に防止される。
【００７６】
押え部材４７の外周部は、チップ装着状態で、チップ５の基端部が嵌合する嵌合部として機能する。
【００７７】
また、押え部材４７のほぼ中央には、発光素子４１が発する光、および試験紙５３で反射された反射光が通過する開口部４７２が形成されており、チップ装着状態において、試験紙５３と光透過性部材４５との間に空間１１３が形成される。すなわち、チップ装着状態においては、試験紙５３と光透過性部材４５との間に開口部４７２が位置し、主に、この開口部４７２の内面と、試験紙５３の基端側の表面と、光透過性部材４５の先端側の表面とで、空間１１３が画成される。
【００７８】
また、光透過性部材４５の形状は、開口部４３３に対応した形状であるのが好ましく、光透過性部材４５の寸法は、開口部４３３を覆うことができる程度の大きさであればよい。
【００７９】
このような光透過性部材４５の構成材料としては、例えば、各種ガラス材料、各種樹脂材料等が挙げられる。
【００８０】
また、ホルダー４３および押え部材４７の構成材料としては、各種樹脂材料や各種金属材料が挙げられる。
【００８１】
なお、光透過性部材４５は、平板状のものに限定されず、例えば、レンズ形状のものであってもよい。
【００８２】
次に、ケーシング２、蓋体６および紐７について説明する。
図２および図３に示すように、ケーシング２の外形の全体形状は、本実施形態では、直方体形状をなしている。
【００８３】
このケーシング２の先端部の外周部には、段差部２１が形成されており、その段差部２１に、蓋体６が嵌合、すなわち、着脱自在に装着されるようになっている。
【００８４】
また、ケーシング２は、そのケーシング２に蓋体６が装着された状態（以下、蓋体装着状態とも言う）で、紐７が挿入される溝（第１の溝）２２を有している。
【００８５】
蓋体６の外形の全体形状は、本実施形態では、直方体形状をなしている。すなわち、蓋体６は、長方形の板状の底壁６１と、底壁６１の各辺から立設した４つの長方形の板状の側壁６２、６３、６４、６５とを有し、底壁６１の内面が押え部材４７に対向するように、ケーシング２の段差部２１に装着される。蓋体装着状態では、蓋体６により、押え部材４７が覆わる。これにより、押え部材４７を含む測光部４を保護することができる。
【００８６】
また、蓋体６は、蓋体装着状態で、紐７が挿入される溝（第２の溝）６６を有している。この溝６６および前記溝２２は、蓋体装着状態で、溝６６と溝２２とが連続するように形成されている。これにより、蓋体装着状態で、紐７が邪魔になることを防止することができる。そして、特に、収納容器３内で紐７が邪魔にならないので、測定装置セットの小型化に有利である。
【００８７】
紐７としては、本実施形態では、環状をなしているもの、または、１本のものを輪になるようにその両端部を結んだもの等が用いられている。そして、紐７の一端部は、ケーシング２の溝２２の基端側の端部に固定され、他端部は、蓋体６の底壁６１の中心部、すなわち、蓋体６の測定装置本体１０と反対側の中心部に固定されている。
【００８８】
すなわち、図４に示すように、ケーシング２の溝２２内の基端側の端部には、棒状の固定部２４が形成されており、紐７の一端部は、その固定部に、図示のようにして結び付けられることで、固定されている。
【００８９】
また、蓋体６の底壁６１の中心部、すなわち底壁６１の溝６６の中央部には、貫通孔６１１が形成されており、紐７の他端部は、その貫通孔６１１内に蓋体６の外側から挿入され、その紐７の他端部に、貫通孔６１１の直径よりも大きい図示しない結び目が形成されることで、紐７が貫通孔６１１から抜けないようになっている。このようにして、紐７の他端部は、蓋体６の底壁６１の中心部に固定されている。なお、紐７の他端部は、蓋体６の底壁６１に対して回動可能に保持されていてもよい。この紐７により、測定装置本体１０からの蓋体６の落下や紛失等を防止することができる。
【００９０】
紐７の構成材料としては、可撓性を有していれば、特に限定されず、例えば、各種種樹脂材料等が挙げられる。また、紐７は、弾性を有していてもよく、また、弾性を有していなくてもよい。なお、紐７の構成材料として弾性材料を用いる場合は、その弾性材料としては、例えば、各種ゴム材料や、各種熱可塑性エラストマーが挙げられ、これらのうちの１種または２種以上を混合して用いることができる。
【００９１】
紐７の長さは、蓋体装着状態で紐７が溝２２及び溝６６に密着する長さに設定されるが、前記弾性材料を用いる場合は、伸縮性を考慮して紐７が接する溝２２と溝６６の部分の長さより自然状態で少し短くなるように設定してもよい。
【００９２】
なお、紐７としては、前記の構成のものに限定されず、例えば、１本のものをそのまま用いてもよい。
【００９３】
また、ケーシング２および蓋体６の構成材料としては、それぞれ、特に限定されず、例えば、各種樹脂材料や各種金属材料が挙げられる。
【００９４】
次に、ケーシング２の溝２２および蓋体６の溝６６について説明する。
図２および図３に示すように、溝２２は、ケーシング２の側壁２５に形成されている。この溝２２は、側壁２５の基端部から先端部、すなわち段差部２１まで延在している。また、ケーシング２の側壁２５と対向する側壁２６にも、前記溝２２と対称に、溝２３が形成されている。なお、液晶表示装置１０４は、前述したように、上壁２７の窓部に設けられている。
【００９５】
このように、溝２２、２３は、測定装置本体１０の液晶表示装置１０４が設けられている面とは異なる面に設けられている。これにより、蓋体装着状態で、紐７が溝２２に挿入された状態では、その紐２２は、液晶表示装置１０４に重ならない。これによって、蓋体装着状態で、液晶表示装置１０４の視認性を損なうことがない。
【００９６】
一方、溝６６は、蓋体６の底壁６１の外面と、側壁６３および６５の外面とに連続して設けられている。この場合、溝６６の底壁６１の外面に設けられた部分は、底壁６１の外面の中心部を通り、その外面を横切っている。すなわち、溝６６は、蓋体６の測定装置本体１０と反対側の中心部から両側にそれぞれ蓋体６の基端まで形成されている。
【００９７】
これにより、紐７を、溝６６の底壁６１の中心部から一方側の部位と、他方側の部位のいずれにも挿入することができる。すなわち、蓋体６がケーシング２の長手軸を中心に１８０°回転しても、蓋体６をケーシング２に装着することができる。これによって、蓋体６をケーシング２に装着する際、その蓋体６のケーシング２に対する向きを一方に規制することがなくなり、蓋体６の方向性を気にしないで装着することができる。
【００９８】
次に、穿刺装置８および穿刺針チップ９について説明する。
図２に示す穿刺針チップ９は、先端に鋭利な針先を有する針体とその針体の基端部に固定された針ハブとを有する穿刺針（図示せず）と、その穿刺針をその軸方向に沿って移動可能に収納し、針先が突出可能な開口を有する筒状のケーシング９１１とを有するチップ本体９１と、ケーシングに着脱自在に装着されるキャップ９２とを備えている。
【００９９】
穿刺装置８は、穿刺針チップ９を先端部に着脱自在に装着して用いられ、その穿刺針チップ９の穿刺針により、穿刺を行うものである。
【０１００】
なお、穿刺装置８や穿刺針チップ９の基本的な構造としては、形状や各操作部の位置等、若干異なるものの、例えば、実用新案登録第３１３４３３９号に記載されているものを用いることができる。
【０１０１】
以上説明したように、この測定装置および測定装置セット１００によれば、蓋体装着状態で、紐７が邪魔になることを防止することができる。そして、特に、収納容器３内で紐７が邪魔にならないので、測定装置セットの小型化に有利である。
【０１０２】
＜第２実施形態＞
図９は、本発明の測定装置セットを血液中の血糖値を測定する血糖測定装置セットに適用した場合の第２実施形態における測定装置を示す図であって、図９（ａ）は、平面図、図９（ｂ）は、一方の側面図、図９（ｃ）は、斜視図である。なお、以下では、図９（ｂ）中の右側を「先端」、左側を「基端」、上側を「上」、下側を「下」として説明を行う。
【０１０３】
以下、第２実施形態について、前述した第１実施形態との相違点を中心に説明し、同様の事項については、その説明を省略する。
【０１０４】
図９に示すように、第２実施形態の測定装置１では、蓋体６の外面は、溝２２に向かって傾斜する傾斜面６７を有している。この傾斜面６７は、先端方向に向かって下方に傾斜している。
【０１０５】
これにより、蓋体６を測定装置本体１０に装着する際、図９中二点鎖線で示すように、紐７が溝６６、２２からずれたとしても、その紐７は、図９中実線で示すように、傾斜面６７を溝６６に向かって滑り、溝６６、２２内に挿入される。
なお、この測定装置１によれば、前述した第１実施形態と同様の効果も得られる。
【０１０６】
＜第３実施形態＞
図１０は、本発明の測定装置セットを血液中の血糖値を測定する血糖測定装置セットに適用した場合の第３実施形態における測定装置を示す図であって、図１０（ａ）は、平面図、図１０（ｂ）は、一方の側面図、図１０（ｃ）は、斜視図である。なお、以下では、図１０（ｂ）中の右側を「先端」、左側を「基端」、上側を「上」、下側を「下」として説明を行う。
【０１０７】
以下、第３実施形態について、前述した第１実施形態との相違点を中心に説明し、同様の事項については、その説明を省略する。
【０１０８】
図１０に示すように、第３実施形態の測定装置１では、蓋体６の外面は、溝２２に向かって傾斜する傾斜面６８を有している。この傾斜面６８は、測定装置１の長手方向に対して垂直な方向、すなわち、側方に向かって下方に傾斜している。
【０１０９】
また、ケーシング２の上壁２７の先端部の外面は、溝２２に向かって傾斜する傾斜面２７１を有している。各傾斜面６８、２７１は、それぞれ、測定装置１の長手方向に対して垂直な方向、すなわち、側方に向かって下方に傾斜している。
【０１１０】
これにより、蓋体６を測定装置本体１０に装着する際、図１０中二点鎖線で示すように、紐７が溝６６、２２からずれたとしても、その紐７は、図１０中実線で示すように、傾斜面６８、２７１を溝６６に向かって滑り、溝６６、２２内に挿入される。
なお、この測定装置１によれば、前述した第１実施形態と同様の効果も得られる。
【０１１１】
以上、本発明の測定装置および測定装置セットを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【０１１２】
また、本発明は、前記各実施形態のうちの、任意の２以上の構成（特徴）を組み合わせたものであってもよい。
【０１１３】
また、前記実施形態では、検体として血液を挙げて説明したが、検体はこれに限らず、その他、例えば尿、リンパ液、髄液、唾液等の体液またはその希釈液、濃縮液であってもよい。
【０１１４】
また、測定目的とする成分（所定成分）は、ブドウ糖（血糖値）に限らず、その他、例えば、コレステロール、尿酸、クレアチニン、乳酸、ヘモグロビン（潜血）、各種アルコール類、各種糖類、各種タンパク質、各種ビタミン類、ナトリウム等の各種無機イオン、ＰＣＢやダイオキシン等の環境ホルモン等であってもよい。
【０１１５】
また、前記実施形態では、所定成分の量を測定するものとして説明したが、本発明では、所定成分の性質を測定するものであってもよく、また、所定成分の量および性質の双方を測定するものであってもよい。
【０１１６】
また、前記実施形態では、試験紙を備える有底筒状のチップ（試験具）を装着して使用する測定装置について説明したが、本発明の測定装置は、小片状、平板状（板状）、シート状、スティック状等の他の構成（形態）の試験具を用いるものであってもよい。
【０１１７】
また、前記実施形態では、試験具および成分測定装置は、光学式で血糖を測定するものとして説明したが、血糖測定の方式はこれに限定されず、例えば、電極式であってもよい。
【０１１８】
また、前記実施形態では、体液、すなわち血液の所定成分の量を測定する測定装置を例示したが、本発明ではこれに限らず、例えば、体液成分以外のバイタルサインを測定する医療機器にも適用可能である。バイタルサインとしては、例えば、心拍数、呼吸(数）、血圧、体温、血流量、酸素飽和度、心電、皮膚水分量、体脂肪、活動量、等が挙げられる。また、ここでいう医療機器とは、いわゆるパーソナルユース品に限らず、例えば臨床機器を含むことはもちろんである。
【符号の説明】
【０１１９】
１                測定装置
１０              測定装置本体
２                ケーシング
２１              段差部
２２、２３        溝
２４              固定部
２５、２６        側壁
２７              上壁
２７１            傾斜面
３                収納容器
３１              容器本体
３２              蓋体
４                測光部
４１              発光素子
４２              受光素子
４３              ホルダー
４３１            第１の通路
４３２            第２の通路
４３３            開口部
４３４            凹部
４３５            環状凹部
４３６            接着剤溜り
４５              光透過性部材
４６              Ｏリング
４７              押え部材
４７１            当接部
４７２            開口部
４７３            嵌合部
４９              Ａ／Ｄ変換器
５                チップ
５０              容器
５１              チップ本体
５１１            底部
５１２            台座部
５１３            胴部
５１４            フランジ
５２              細管
５２０            検体導入流路
５２１            検体流入側端部
５２２            溝
５２３            検体流入口
５２５            検体流出側端部
５２７            検体流出口
５３              試験紙
５３２            環状の凸部
５３３            固定部
５６              スペーサー
６                蓋体
６１              底壁
６１１            貫通孔
６２〜６５        側壁
６６              溝
６７、６８        傾斜面
７                紐
８                穿刺装置
９                穿刺針チップ
９１              チップ本体
９２              キャップ
９１１            ケーシング
１０１            電源部
１０２            電源電圧検出部
１０３            スイッチ回路
１０４            液晶表示装置
１０５            制御手段
１０６            制御発振部
１０７            時計発振部
１０８            データ記憶部
１０９            ブザー出力部
１１０            外部出力部
１１１            温度測定部
１１３            空間
１００            測定装置セット
【図１】
2013195223.tif 000003
【図２】
2013195223.tif 000004
【図３】
2013195223.tif 000005
【図４】
2013195223.tif 000006
【図５】
2013195223.tif 000007
【図６】
2013195223.tif 000008
【図７】
2013195223.tif 000009
【図８】
2013195223.tif 000010
【図９】
2013195223.tif 000011
【図１０】
2013195223.tif 000012